(57)【特許請求の範囲】
【請求項１】
吸い込み口と吐出口とを有し、第１ブロックと第２ブロックとが前後方向に重ね合わされて構成されるポンプヘッドと、該ポンプヘッドが取り付けられるポンプ本体とを備え、前記ポンプヘッドは、前記吸い込み口から吸い込んだ流体を複数のポンプ室それぞれに供給すべく分岐させる複数の分岐流路と、各分岐流路で分岐した流体を対応する前記ポンプ室へ供給する供給流路と、該ポンプ室内に供給された流体を送り出す複数の送り出し流路と、各送り出し流路内の流体を前記吐出口に集約する複数の集約流路と、各供給流路に設けられ、流体供給時に前記分岐流路から前記ポンプ室への流体の流れを許容し、流体吐出時に前記ポンプ室から前記分岐流路への流体の流れを阻止する第１シート弁と、各送り出し流路に設けられ、流体吐出時に前記ポンプ室から前記集約流路への流体の流れを許容し、流体供給時に前記集約流路から前記ポンプ室への流体の流れを阻止する第２シート弁とを、備え、
前記複数の分岐流路及び前記複数の集約流路が前記第１ブロックに形成され、前記複数の供給流路及び前記複数の送り出し流路が前記第１ブロック及び前記第２ブロックに形成され、前記複数の第１シート弁及び前記複数の第２シート弁は、前記第１ブロックと前記第２ブロックとの間に介挿され、前記各ポンプ室が、前記第２ブロックの後面に形成される凹部と、該凹部を覆うように配置されるダイヤフラムとから形成され、
流体供給時には、前記ダイヤフラムが復動されることによって、前記吸い込み口から流体が吸い込まれ、吸い込まれた流体が前記分岐流路で分岐し、該分岐した流体が、流体圧により開放状態となった前記第１シート弁を通して前記供給流路内を通過してから、前記ポンプ室へ流入するように構成され、
流体吐出時には、前記ダイヤフラムが往動されることによって、前記第２シート弁が開放されて、前記ポンプ室内の流体が、前記送り出し流路へ送り出され、該送り出された流体は、前記集約流路により集約されてから、前記吐出口を介して吐出されるように構成されていることを特徴とするダイヤフラムポンプ。
【請求項２】
前記ダイヤフラムの復動時には、前記第２シート弁は、閉じた状態になり、前記ダイヤフラムの往動時には、前記第１シート弁は、閉じた状態を維持するように構成されていることを特徴とする請求項１に記載のダイヤフラムポンプ。
【請求項３】
前記ポンプ本体は、流体搬送をスタートさせる、又はストップさせるためのスイッチを備えていることを特徴とする請求項１又は２に記載のダイヤフラムポンプ。
【請求項４】
前記吸い込み口からの流体は、前記第１ブロックの左右方向略中央部に向けて供給され、前記分岐流路が、前記供給された流体を左右方向両外側のそれぞれに向けて案内する直線状の流路から構成されていることを特徴とする請求項１〜３のいずれか１項に記載のダイヤフラムポンプ。
【請求項５】
前記複数のポンプ室は、前記第２ブロックの左右両側部の後面に形成され、該各ポンプ室内の流体は、上下方向一方から他方へ向けて案内され、前記送り出し流路が、該案内された流体を前記第２ブロックの前方へ案内すべく該第２ブロックの前後方向に貫通して形成される貫通孔を備えていることを特徴とする請求項１〜４のいずれか１項に記載のダイヤフラムポンプ。
【請求項６】
前記集約流路は、前記各送り出し流路からの流体を前記第２ブロックの左右方向中央部に向けて案内する直線状の流路から構成され、かつ、前記分岐流路に平行に構成されていることを特徴とする請求項１〜５のいずれか１項に記載のダイヤフラムポンプ。
【発明の詳細な説明】
【技術分野】
【０００１】
本発明は、流体を吸引して吐出するダイヤフラムポンプに関する。
【背景技術】
【０００２】
上記ダイヤフラムポンプにおいては、２つのダイヤフラムが左右方向に併設され、これら２つのダイヤフラムを往復動させることによって、流体を搬送している。具体的には、ポンプヘッドの下端部に設けている吸引口から流体をダイヤフラムの復動により吸引し、吸引した流体をダイヤフラムの往動によりポンプヘッドの上端部に設けている吐出口を通して外部へ排出する。
【０００３】
前記ポンプヘッドは、吸い込み口から左右のダイヤフラムのポンプ室へ流体を流入させるための左右の分岐流路と、左右の分岐流路とこれに対応する左右のダイヤフラムとの間に設けられる吸い込み側の弁体であるボールバルブと、左右のダイヤフラムから吐出口へ流体を吐出するための左右の吐出流路と、左右の吐出流路とこれに対応する左右のダイヤフラムとの間に設けられる吐出側の弁体であるボールバルブとを備えて構成されている（例えば特許文献１参照）。
【先行技術文献】
【特許文献】
【０００４】
【特許文献１】特開２０１２−３６７３７号公報（図１、図２参照）
【発明の概要】
【発明が解決しようとする課題】
【０００５】
上記特許文献１のダイヤフラムポンプにおいては、ボールが自重で吸い込み口又は吐出口を閉じるように作動するボールバルブを使用しているため、吸い込みから吐出までの流体の流れ方向が、ボールが自重で移動する方向である上下方向に制限されてしまうという不都合がある。
また、ボールバルブの場合には、ボールとボールを受ける受け部とを組み込まなければならないため、ポンプヘッドが大型化してしまうという不都合もある。
【０００６】
本発明が前述の状況に鑑み、解決しようとするところは、吸い込みから吐出までの流体の流れ方向を自由に設定することができ、しかも小型化することができるダイヤフラムポンプを提供することにある。
【課題を解決するための手段】
【０００７】
本発明のダイヤフラムポンプは、前述の課題解決のために、吸い込み口と吐出口とを有し、第１ブロックと第２ブロックとが前後方向に重ね合わされて構成されるポンプヘッドと、該ポンプヘッドが取り付けられるポンプ本体とを備え、前記ポンプヘッドは、前記吸い込み口から吸い込んだ流体を複数のポンプ室それぞれに供給すべく分岐させる複数の分岐流路と、各分岐流路で分岐した流体を対応する前記ポンプ室へ供給する供給流路と、該ポンプ室内に供給された流体を送り出す複数の送り出し流路と、各送り出し流路内の流体を前記吐出口に集約する複数の集約流路と、各供給流路に設けられ、流体供給時に前記分岐流路から前記ポンプ室への流体の流れを許容し、流体吐出時に前記ポンプ室から前記分岐流路への流体の流れを阻止する第１シート弁と、各送り出し流路に設けられ、流体吐出時に前記ポンプ室から前記集約流路への流体の流れを許容し、流体供給時に前記集約流路から前記ポンプ室への流体の流れを阻止する第２シート弁とを、備え、前記複数の分岐流路及び前記複数の集約流路が前記第１ブロックに形成され、前記複数の供給流路及び前記複数の送り出し流路が前記第１ブロック及び前記第２ブロックに形成され、前記複数の第１シート弁及び前記複数の第２シート弁は、前記第１ブロックと前記第２ブロックとの間に介挿され、前記各ポンプ室が、前記第２ブロックの後面に形成される凹部と、該凹部を覆うように配置されるダイヤフラムとから形成され、流体供給時には、前記ダイヤフラムが復動されることによって、前記吸い込み口から流体が吸い込まれ、吸い込まれた流体が前記分岐流路で分岐し、該分岐した流体が、流体圧により開放状態となった前記第１シート弁を通して前記供給流路内を通過してから、前記ポンプ室へ流入するように構成され、流体吐出時には、前記ダイヤフラムが往動されることによって、前記第２シート弁が開放されて、前記ポンプ室内の流体が、前記送り出し流路へ送り出され、該送り出された流体は、前記集約流路により集約されてから、前記吐出口を介して吐出されるように構成されていることを特徴としている。
【０００８】
かかる構成によれば、流体供給時には、吸い込み口から吸い込んだ流体が、複数の分岐流路に分岐する。分岐した流体が、第１シート弁を開放して、対応する供給流路を介して複数のポンプ室へ移動する。続いて、流体吐出時には、各ポンプ室内の流体が、第２シート弁を開放して、送り出し流路を介して送り出される。送り出された流体が、集約流路で集約されて吐出口を介して外部へ吐出される。そして、弁体を流体圧で開閉する第１シート弁及び第２シート弁から構成することによって、吸い込みから吐出までの流体の流れ方向を自由に設定することができ、しかも小型化することができる。
【０００９】
また、本発明のダイヤフラムポンプは、前記ダイヤフラムの復動時には、前記第２シート弁は、閉じた状態になり、前記ダイヤフラムの往動時には、前記第１シート弁は、閉じた状態を維持するように構成されていてもよい。
【００１１】
また、本発明のダイヤフラムポンプは、前記ポンプ本体は、流体搬送をスタートさせる、又はストップさせるためのスイッチを備えていてもよい。
【００１３】
また、本発明のダイヤフラムポンプは、前記吸い込み口からの流体が、前記第１ブロックの左右方向略中央部に向けて供給され、前記分岐流路が、前記供給された流体を左右方向両外側のそれぞれに向けて案内する直線状の流路を備えていてもよい。
【００１４】
上記のように、分岐流路が、前記供給された流体を左右方向両外側のそれぞれに向けて案内する直線状の流路から構成されていれば、曲線状の流路に比べて流体の移動距離を短くすることができる。
【００１５】
また、本発明のダイヤフラムポンプは、前記複数のポンプ室が、前記第２ブロックの左右両側部の後面に形成され、該各ポンプ室内の流体は、上下方向一方から他方へ向けて案内され、前記送り出し流路が、該案内された流体を前記第２ブロックの前方へ案内すべく該第２ブロックの前後方向に貫通して形成される貫通孔を備えていてもよい。
【００１６】
上記のように、送り出し流路が、該案内された流体を前記第２ブロックの前方へ案内する構成にしておけば、上下方向へ案内する構成に比べてポンプヘッドが上下方向へ大型化することを抑制できる。
【００１７】
また、本発明のダイヤフラムポンプは、前記集約流路が、前記各送り出し流路からの流体を前記第２ブロックの左右方向中央部に向けて案内する直線状の流路から構成され、かつ、前記分岐流路に平行に構成されていてもよい。
【００１８】
上記構成によれば、集約流路が、各送り出し流路からの流体を第２ブロックの左右方向中央部に向けて案内する直線状の流路から構成され、かつ、分岐流路に平行に構成されていれば、曲線状の流路に比べて流体の移動距離を短くすることができ、しかも分岐流路に平行にすることで集約流路の経路長さを分岐流路の経路長さに合わせることができる。
【発明の効果】
【００１９】
本発明によれば、弁体を流体圧で開閉する第１シート弁及び第２シート弁から構成することによって、吸い込みから吐出までの流体の流れ方向を自由に設定することができ、しかも小型化することができるダイヤフラムポンプを提供することができる。
【図面の簡単な説明】
【００２０】
【図１】ダイヤフラムポンプの正面図である。
【図２】ダイヤフラムを装着する直前のポンプヘッドの正面図である。
【図３】流体の吸い込み時のポンプヘッドの正面図である。
【図４】流体の吐出時のポンプヘッドの正面図である。
【図５】ポンプヘッドの分解斜視図である。
【図６】ポンプヘッドを構成する前側ブロックを示し、（ａ）は正面図、（ｂ）は背面図、（ｃ）はＡ−Ａ線断面図である。
【図７】ポンプヘッドを構成する第１ブロックを示し、（ａ）は正面図、（ｂ）は背面図、（ｃ）はＢ−Ｂ線断面図である。
【図８】ポンプヘッドを構成する第１ブロックを示し、（ａ）は正面図、（ｂ）は背面図、（ｃ）はＢ−Ｂ線断面図である。
【発明を実施するための形態】
【００２１】
以下、ダイヤフラムポンプを、図面に基づいて説明する。
【００２２】
図１に、ダイヤフラムポンプの正面図を示している。このダイヤフラムポンプは、ポンプヘッド１と、ポンプヘッド１がねじ（図示せず）により取り付けられるポンプ本体２とから構成されている。ポンプヘッド１は、正面から見てポンプ本体２の横一側（図１では右側）に取り付けられている。
【００２３】
ポンプ本体２は、流体搬送をスタートさせる、又はストップさせるための押しボタン３や流体搬送量を表示する表示部４等を備えている。
【００２４】
ポンプヘッド１は、図１〜図８に示すように、３枚の横長で板状のブロック５，６，７を前後方向に重ね合わせて構成されている。ここでいう前後方向は、ブロックの厚み方向である。これらブロック５，６，７のうちの前側に位置するブロックを前側ブロック５と称し、前側ブロック５の後（背）面に重ねられる中間に位置するブロックを第１ブロック６と称し、第１ブロック６の後（背）面に重ねられる後側に位置するブロックを第２ブロック７と称する。
【００２５】
これら３枚のブロック５，６，７の外周縁の６箇所には、図６〜図８に示す貫通孔５Ｋ，６Ｋ，７Ｋが形成されており、それら６個の貫通孔５Ｋ，６Ｋ，７Ｋに貫通する複数本のねじ（図示せず）の先端をポンプ本体２にねじ込むことによって、３枚のブロック５，６，７を一体化した状態でポンプ本体２に固定することができるようになっている。そして、ねじ込まれた６本のねじを取り外すことによって、３枚のブロック５，６，７を分解することができる。３枚の横長で板状のブロック５，６，７を前後方向（厚み方向）に重ね合わせてポンプヘッド１を構成することによって、ポンプヘッド１が上下方向に大型化することがなく、小型（コンパクト）なポンプヘッド１に構成することができる。
【００２６】
図５及び図６に示すように、ポンプヘッド１を構成する前側ブロック５には、１個の吸い込み口５Ａと１個の吐出口５Ｂとを備えている。吸い込み口５Ａ及び吐出口５Ｂは、前側ブロック５の前面の左右方向略中央部の上下方向に沿って形成されている。ここでは、吐出口５Ｂが上下方向上側に配置され、吸い込み口５Ａが上下方向下側に配置されているが、どのような配置であってもよい。吸い込み口５Ａ及び吐出口５Ｂのそれぞれには、図示していない流体供給用及び流体搬送用のチューブ（ホース）又はパイプが接続される。前側ブロック５の前面の右側には、ポンプ本体２にポンプヘッド１を組み付ける際に、ポンプ本体２に対する上下方向を確認するための矢印５Ｙが凹設されている。従って、矢印５Ｙの先端が上方に向くようにポンプ本体２に対してポンプヘッド１を組み付けることによって、ポンプヘッド１をポンプ本体２に対して上下向きを間違えることがなく、迅速に組み付けることができる。
【００２７】
また、前側ブロック５の後面には、第１ブロック６の前面との間においてポンプヘッド１を流れる流体が外部に漏れることがないように密閉するためのパッキンＰを収容する凹部５Ｃが形成されている。パッキンＰは、４つの角が取れた丸い角部を有する長方形状に構成され、凹部５ＣもパッキンＰと同一形状になっている。パッキンＰの厚みは、凹部５Ｃの深さよりも厚くなる厚さに設定されている。
【００２８】
図２〜図５に示すように、第２ブロック７の左右両側部の後面側に、２つのポンプ室８，９（図２では一方のみ図示）が形成されている。各ポンプ室８又は９は、第２ブロック７の後面に形成される凹部７Ａ又は７Ｂと、この凹部７Ａ又は７Ｂを覆うように配置されるダイヤフラム１０又は１１（図２，図３，図４では一方のダイヤフラム１０のみ示している）とから形成されている。凹部７Ａ又は７Ｂは、ダイヤフラム１０又は１１のフランジ部１０Ａを収容して固定するための外側凹部７ａと、ダイヤフラム１０又は１１の可動部１０Ｂを収容すべく外側凹部７ａよりも大きく凹んだポンプ室形成用の内側凹部７ｂと、外側凹部７ａと内側凹部７ｂとの間に位置し、かつ、後述する供給流路１４又は１５及び送り出し流路１６又は１７に連通する外側凹部７ａよりも僅かに凹んだ中間凹部７ｃとから構成されている。尚、図２〜図４に示している３枚のブロック５，６，７は、図６（ｃ）、図７（ｃ）、図８（ｃ）を重ね合わせた図にしている。また、図２は、ダイヤフラム１０又は１１を装着する直前の状態を示し、しかもシート弁２０，２２及びパッキンＰを省略した図面にしている。
【００２９】
吸い込み口５Ａから吸い込んだ流体は、前側ブロック５の前後方向に貫通形成された貫通孔５ａ（吸い込み口５Ａよりも小径な孔）を通して第１ブロック６の左右方向略中央部に向けて供給される。第１ブロック６に供給された流体を、２つのポンプ室８，９それぞれに供給すべく分岐させる複数（２つの）の分岐流路１２，１３が、第１ブロック６の前面の下側に形成されている。これら分岐流路１２，１３は、流体を左右方向両外側のそれぞれに向けて案内すべく左右方向に一直線状に延びるように形成された一本の溝（凹部）１２３と、この溝１２３の前方の開口を閉じる前側ブロック５とから形成される。
【００３０】
各分岐流路１２又は１３で分岐された流体を対応するポンプ室８又は９へ供給する供給流路１４又は１５が、第１ブロック６及び第２ブロック７に形成されている。この供給流路１４又は１５は、分岐流路１２又は１３の左右方向両端から後方のポンプ室８又は９まで延びるように第１ブロック６及び第２ブロック７に形成された貫通孔から構成されている。尚、各ポンプ室８又は９内の流体は、図５の矢印で示されるように、上下方向下方から上方へ向けて案内される。
【００３１】
ポンプ室８，９内の流体を送り出す２つの送り出し流路１６，１７が、第２ブロック７及び第１ブロック６の左右両側の上部に形成された貫通孔から構成されている。
【００３２】
送り出し流路１６，１７で送り出された流体を吐出口５Ｂに集約する２つの集約流路１８，１９が、第１ブロック６の前面の上側に形成されている。これら集約流路１８，１９は、流体を左右方向両側から中央に向けて集約すべく左右方向に一直線状に延びるように形成された一本の溝（凹部）１８９と、この溝１８９の前方の開口を閉じる前側ブロック５とから形成されている。また、集約流路１８，１９は、分岐流路１２，１３に平行に構成されている。
【００３３】
集約流路１８，１９で集約された流体は、前側ブロック５に形成されている貫通孔５ｂを通して前方へ移動し、貫通孔５ｂの前端に形成の吐出口５Ｂ（貫通孔５ｂよりも大径に構成されている）を介して外部に排出される。外部に排出された流体は、前述した吐出口５Ｂに接続される流体搬送用のチューブ（ホース）又はパイプを介して所定の場所まで搬送される。
【００３４】
図８（ａ），（ｃ）に示すように、第２ブロック７の前面における左右両側の下側に、第１シート弁（バタバタ弁ともいう）２０，２１を配置するための凹部７Ａ，７Ｂが形成されている。これら第１シート弁２０，２１は、供給流路１４，１５中に設けられ、流体供給時に分岐流路１４，１５からポンプ室８，９への流体の流れを許容し、流体吐出時にポンプ室８，９から分岐流路１４，１５への流体の流れを阻止する。
【００３５】
図７（ｂ），（ｃ）に示すように、第１ブロック６の後面における左右両側の上側に、第２シート弁（バタバタ弁ともいい、第１シート弁と同一構成である）２２，２３（図７（ｂ）では一方のみ図示）を配置するための凹部６Ａ，６Ｂが形成されている。これら第２シート弁２２，２３は、送り出し流路１６，１７中に設けられ、流体吐出時にポンプ室８，９から集約流路１８，１９への流体の流れを許容し、流体供給時に集約流路１８，１９からポンプ室８，９への流体の流れを阻止する。また、第１ブロック６の後面における供給流路１４，１５及び送り出し流路１６，１７の外側に、メガネ状のパッキンＰ１，Ｐ１（図７（ｂ）では一方のパッキンのみ図示）を嵌め込むためのメガネ状の凹部６Ｃ，６Ｄが形成されている。パッキンＰ１，Ｐ１の厚みは、凹部６Ｃ，６Ｄの深さよりも厚く構成されている。従って、これらパッキンＰ１，Ｐ１を設けることによって、第１ブロック６の後面と第２ブロック７の前面との間を密閉して、供給流路１４，１５及び送り出し流路１６，１７を流れる流体が外部へ漏れることがないようにしている。
【００３６】
第１シート弁２０，２１及び第２シート弁２２，２３は、いずれも同一形状の円形で板状のゴム材で構成されている。このように４つの弁が同一構成であるため、第１シート弁２０について説明する。第１シート弁２０は、図５に示すように、第１ブロック６と第２ブロック７との間に挟持固定される外側円形枠部２０Ａと、この外側円形枠部２０Ａに対して流体圧により開閉する円弧状の弁部２０Ｂとから構成されている。そして、第１シート弁２０，２１及び第２シート弁２２，２３を、第１ブロック６と第２ブロック７との間に介挿して固定することによって、特別な固定手段等が不要になる。また、弁体を流体圧により開閉する第１シート弁２０，２１及び第２シート弁２２，２３から構成することによって、吸い込みから吐出までの流体の流れ方向を自由に設定することができ、しかもポンプヘッド１を小型化することができる。
【００３７】
ここでは、脈動防止のために２つのダイヤフラム１０，１１を駆動して流体を搬送するようにしている。これら２つのダイヤフラム１０，１１は、同一構成であるため、一方のダイヤフラム１０について説明する。一方のダイヤフラム１０は、第２ブロック７の後（背）面に固定されるフランジ部１０Ａと、図示していない駆動機構により前後方向に往復動される可動部１０Ｂとを備えている。従って、可動部１０Ｂを前後方向に往復動することによって、流体を吸い込んで吐出することができる。図３では、ダイヤフラム１０が後方へ移動（復動）して流体を吸い込んだ状態を示している。また、図４では、ダイヤフラム１０が前方へ移動（往動）して吸い込んだ流体を吐出した状態を示している。尚、前記駆動機構としては、汎用のものを用いているため、具体的な説明は省略する。
【００３８】
前述したダイヤフラムポンプを用いて流体を搬送することについて説明する。まず、ポンプ本体２の押しボタン３を押して流体搬送を開始する。これによりダイヤフラム１０が図３のように復動される。これによって、吸い込み口５Ａから流体が吸い込まれ、吸い込まれた流体が分岐流路１２，１３で左右両側に分岐する。左右両側に分岐した流体は、流体圧により開放状態となった第１シート弁２０，２１を通して供給流路１４，１５内を通過し、ポンプ室８，９へ流入する。このとき、第２シート弁２２，２３は、閉じた状態になっているため、集約流路１８，１９からポンプ室８，９へ流体が流入することがない。
【００３９】
続いて、ダイヤフラム１０が図４のように往動される。これによって、第１シート弁２０，２１は、閉じた状態を維持し、第２シート弁２０，２１が開放されて、ポンプ室８，９内の流体が、送り出し流路１４，１５へ送り出される。送り出された流体は、集約流路１８，１９により左右方向中央に集約される。集約された流体は、吐出口５Ｂを介して吐出され、チューブ（ホース）又はパイプを介して所定の位置まで搬送される。
【００４０】
尚、本発明は、前記実施形態に限定されるものではなく、本発明の要旨を逸脱しない範囲で種々の変更が可能である。
【００４１】
前記実施形態では、シート弁としてバタバタ弁を用いたが、アンブレラ弁であってもよい。また、シート弁を前後方向（ブロックの厚み方向）に移動する流体の開閉制御に用いたが、左右方向や上下方向等、どのような方向に移動する流体の開閉制御にも用いることができる。
【００４２】
また、前記実施形態では、３枚のブロック５，６，７からポンプヘッド１を構成したが、２枚のブロック、例えば第１ブロック６と第２ブロック７とから構成してもよいし、場合によっては、４枚以上のブロックから構成してもよい。尚、第１ブロック６と第２ブロック７の２枚のブロックでポンプヘッド１を構成する場合には、分岐流路１２，１３及び集約流路１８，１９を第１ブロック６の内部に形成する、あるいは第２ブロック７の前面に２つの流路１２，１３、１８，１９を形成するための溝を形成し、それら溝を第１ブロック６で密閉して、２つの流路１２，１３、１８，１９を備えてもよい。
【００４４】
また、前記実施形態では、吸い込み口５Ａから吸い込んだ流体を複数のポンプ室８，９それぞれに供給すべく分岐させる複数の分岐流路１２，１３と、各分岐流路１２，１３で分岐した流体を対応するポンプ室８，９へ供給する供給流路１４，１５とを備えたが、複数のポンプ室８，９の入口側に繋がっている複数の流路と、これら複数の流路の吸い込み口５Ａ側端に吸い込み口５Ａからの流体を分岐させて流すために接続される分岐部とを備えたものから構成してもよい。また、ポンプ室８，９内に供給された流体を送り出す複数の送り出し流路１６，１７と、各送り出し流路１６，１７内の流体を吐出口５Ｂに集約する複数の集約流路１８，１９とを備えたが、複数のポンプ室８，９の出口側へ繋がっている複数の流路と、これら複数の流路の吐出口５Ｂ側端にこれら複数の流路からの流体を集約して吐出口５Ｂに流すために接続される集約部とを備えたものから構成してもよい。
【００４５】
また、前記実施形態では、送り出し流路１６，１７が、ポンプ室８，９からの流体を集約流路１８，１９へ案内すべく、第２ブロック７及び第１ブロック６に形成した前後方向の貫通孔から構成したが、第２ブロック７に形成した前後方向の貫通孔のみから構成してもよい。また、供給流路１４，１５が、分岐流路１２，１３からの流体をポンプ室８，９へ供給すべく、第２ブロック７及び第１ブロック６に形成した前後方向の貫通孔から構成したが、第２ブロック７に形成した前後方向の貫通孔のみから構成してもよい。
【００４６】
また、前記実施形態で示した流路の方向は、図示したもの以外であってもよい。また、分岐流路１２，１３又は集約流路１８，１９を一直線状の流路から構成したが、２つの流路から構成してもよい。また、流路は直線でなく、曲線であってもよい。
【００４７】
また、前記実施形態で示したポンプヘッド１を縦向きにして使用することもできる。この場合、横方向にポンプヘッド１が大型化することを回避することができる。
【符号の説明】
【００４８】
１…ポンプヘッド、２…ポンプ本体、３…押しボタン、４…表示部、５…前側ブロック、５Ａ…吸い込み口、５Ｂ…吐出口、５ａ…貫通孔、６…第１ブロック、６Ａ，６Ｂ…凹部、７…第２ブロック、７Ａ，７Ｂ…凹部、８，９…ポンプ室、１０，１１…ダイヤフラム、１０Ａ…フランジ部、１０Ｂ…可動部、１２，１３…分岐流路、１４，１５…供給流路、１６，１７…送り出し流路、１８，１９…集約流路、２０，２１、２２，２３…シート弁
【図１】
0005953492.tif 000002
【図２】
0005953492.tif 000003
【図３】
0005953492.tif 000004
【図４】
0005953492.tif 000005
【図５】
0005953492.tif 000006
【図６】
0005953492.tif 000007
【図７】
0005953492.tif 000008
【図８】
0005953492.tif 000009